(57)【要約】【課題】表示画像を高速に書換えてもゴーストを低減する電気泳動表示装置の駆動装置及び駆動方法を提供する。【解決手段】電気泳動表示材料と、電気泳動表示材料を挟持する２つの電極とを有して表示を行う画素を含む電気泳動表示装置の駆動装置は、第１の電位と第２の電位とをこの順に含むフラッシングパルスを２つの電極間に印加した後に、アドレッシングパルスを２つの電極間に印加する。【選択図】図７
2015176133.tif 000002
【特許請求の範囲】
【請求項１】
電気泳動表示材料と、前記電気泳動表示材料を挟持する２つの電極とを有して表示を行う画素を含む電気泳動表示装置の駆動装置であって、
第１の電位と第２の電位とをこの順に含むフラッシングパルスを前記２つの電極間に印加した後に、アドレッシングパルスを前記２つの電極間に印加する電圧印加器を含む、電気泳動表示装置の駆動装置。
【請求項２】
前記電圧印加器は、前記フラッシングパルスにおいて、前記第１の電位と前記第２の電位とを交互に繰り返す、請求項１に記載の、電気泳動表示装置の駆動装置。
【請求項３】
前記フラッシングパルスに含まれる、前記第１の電位のパルス幅は、前記第２の電位のパルス幅よりも長い、請求項１または２に記載の電気泳動表示装置の駆動装置。
【請求項４】
電気泳動表示材料と前記電気泳動表示材料を挟持する２つの電極とを有して表示を行う画素を含む電気泳動表示装置の駆動方法であって、
第１の電位と第２の電位とをこの順に含むフラッシングパルスを前記２つの電極間に印加した後に、アドレッシングパルスを前記２つの電極間に印加することを含む、電気泳動表示装置の駆動方法。
【請求項５】
前記フラッシングパルスとして、前記第１の電位と前記第２の電位とを交互に繰り返して印加する、請求項４に記載の、電気泳動表示装置の駆動方法。
【請求項６】
前記フラッシングパルスに含まれる、前記第１の電位のパルス幅は、前記第２の電位のパルス幅よりも長い、請求項４または５に記載の電気泳動表示装置の駆動方法。
【発明の詳細な説明】
【技術分野】
【０００１】
本発明は、電気泳動表示装置の駆動装置及び駆動方法に関する。
【背景技術】
【０００２】
電気光学装置の一例として、電気泳動粒子を含む分散媒を有する電気泳動素子を挟持するように設けられた画素電極及び対向電極間に電圧を印加することにより、電気泳動粒子を移動させることで画像を表示する電気泳動表示装置（ＥＰＤ：Ｅｌｅｃｔｒｏｎｉｃ  Ｐａｐｅｒ  Ｄｉｓｐｌａｙ）がある（例えば特許文献１参照）。電気泳動素子は、電気泳動粒子として例えば黒色粒子及び白色粒子を含んでおり、これら２種類の粒子が画素毎に選択的に対向電極側に引き寄せられることによって、黒色又は白色の２つの階調が表示される。このような電気泳動表示装置では、複数の画素の各々に設けられた画素電極に、表示すべき階調に応じたデータ電位を供給することにより、画像を表示させる。例えば、黒色を表示させるべき画素の画素電極には、データ電位として、対向電極の電位ＧＮＤ（例えば０Ｖ）よりも高い正極性の電位ＶＳＨ（例えば＋１５Ｖ）を供給するとともに、白色を表示させるべき画素の画素電極には、対向電極の電位よりも低い負極性の電位−ＶＳＨ（例えば−１５Ｖ）を供給することにより、画像を表示させる。
【０００３】
他方、このような電気泳動表示装置として、互いに交差する複数の走査線及び複数のデータ線の交差に対応してマトリクス状に配列された複数の画素の各々に、画素スイッチング素子として機能する１つのＴＦＴ（Ｔｈｉｎ  Ｆｉｌｍ  Ｔｒａｎｓｉｓｔｏｒ）と、メモリー回路として機能する１つのコンデンサー（即ち、保持容量）とを含んで構成された画素回路（いわゆる１Ｔ１Ｃ型の画素回路）を備えたアクティブマトリクス駆動方式の電気泳動表示装置がある（例えば特許文献２参照）。このようなアクティブマトリクス駆動方式の電気泳動表示装置の動作時には、複数の走査線が１水平走査期間ごとに順次選択され、選択された走査線に対応する画素に、データ線を介してデータ電位が供給される。
【０００４】
この電気泳動表示装置を駆動する場合、例えば表示画像の変更を行う際には、それまで表示していた内容を表示領域全体に渡って消去し（全白消去又は全黒消去）、その後新たな表示内容の書き換えを行うようにしている（例えば、特許文献３参照）。具体的には、画素電極を全て同じ電位にした上で、共通電極と画素電極間に電圧を印加することにより、それまで表示していた内容を表示領域全体に渡って消去し、その後新たな表示内容の書き換えを行うものである。一方、この駆動方法では、表示領域に前の画像のかすかな痕跡が残って見えるゴーストが現れるという問題があった。
これに対して、例えば全白消去又は全黒消去の期間を長くしたり短くしたり、反転書込消去を行ったりなど、ゴーストを無くす手法が案出されている。
【先行技術文献】
【特許文献】
【０００５】
【特許文献１】特開２００６−２６７９８２号公報
【特許文献２】特開２００９−１０９７０５号公報
【特許文献３】特開２００２−１４９１１５号公報
【発明の概要】
【発明が解決しようとする課題】
【０００６】
しかしながら、上記手法においてもゴーストを完全に解消しきれないという問題がある。以上のような事情に鑑み、本発明の目的は、表示画像を高速に書換えた場合にもゴーストの発生が抑制される電気泳動表示装置の駆動方法を提供することにある。
【課題を解決するための手段】
【０００７】
上記課題を解決するための本発明の一局面は、電気泳動表示材料と電気泳動表示材料を挟持する２つの電極とを有して表示を行う画素を含む電気泳動表示装置の駆動装置であって、第１の電位と第２の電位とをこの順に含むフラッシングパルスを２つの電極間に印加した後に、アドレッシングパルスを２つの電極間に印加する電圧印加器を含む電気泳動表示装置の駆動装置である。
【０００８】
電圧印加器は、フラッシングパルスにおいて、第１の電位と前記第２の電位とを交互に繰り返してもよい。また、フラッシングパルスに含まれる、第１の電位のパルス幅は、第２の電位のパルス幅よりも長くてもよい。
【０００９】
また、本発明の他の局面は、上述のような電気泳動表示装置の駆動装置が実行する、電気泳動表示装置の駆動方法である。
【発明の効果】
【００１０】
本発明によれば、ゴーストの発生が抑制される電気泳動表示装置を提供することができる。
また、フラッシングパルスとアドレッシングパルスの印加を行なうことにより、光学反射率（Ｌ＊）を損なうことなく書込み時間を短縮することができる。
【図面の簡単な説明】
【００１１】
【図１】本発明に係る電気泳動表示装置の表示部周辺の構成を示すブロック図である。
【図２】本発明に係る表示部及び画素の電気的な構成を示す等価回路図である。
【図３】本発明に係る電気泳動表示装置の表示部の部分断面図である。
【図４】従来の電気泳動表示装置の駆動方法による白表示状態遷移に対する反射レスポンスを示す。
【図５】従来の電気泳動表示装置の駆動方法による黒表示状態遷移に対する反射レスポンスを示す。
【図６】本発明に係る電気泳動表示装置の駆動方法による駆動電圧波形の基本構成を示す図である。
【図７】本発明の実施例１に係る駆動電圧波形を説明するタイミングチャートである。
【図８】本発明の実施例１により「白から白へ」及び「黒から白へ」書き換える際の反射率の変化を示すグラフである。
【図９】本発明の実施例１により「黒から黒へ」及び「白から黒へ」書き換える際の反射率の変化を示すグラフである。
【図１０】本発明の実施例２に係る駆動電圧波形を説明するタイミングチャートである。
【図１１】本発明の実施例２により「白から白へ」及び「黒から白へ」書き換える際の反射率の変化を示すグラフである。
【図１２】本発明の実施例２により「黒から黒へ」及び「白から黒へ」書き換える際の反射率の変化を示すグラフである。
【発明を実施するための形態】
【００１２】
本実施形態に係る電気泳動表示装置及びその駆動方法について、図１から図１２を参照して説明する。なお、以下の実施形態では、本実施形態に係る電気光学装置の一例として、アクティブマトリクス駆動方式の電気泳動表示装置を挙げて説明する。
【００１３】
先ず、本実施形態に係る電気泳動表示装置の全体構成について、図１から図３を参照して説明する。
【００１４】
図１は、本実施形態に係る電気泳動表示装置１の表示部周辺の構成を示すブロック図である。
【００１５】
図１において、本実施形態に係る電気泳動表示装置１は、アクティブマトリクス駆動方式の電気泳動表示装置であり、表示部２と、コントローラ１０と、走査線駆動回路６０と、データ線駆動回路７０と、共通電位供給回路１００とを備えている。
【００１６】
表示部２には、ｍ行×ｎ列分の画素２０がマトリクス状（二次元平面的）に配列されている。また、表示部２には、ｍ本の走査線４０（Ｙ１、Ｙ２、…、Ｙｍ）と、ｎ本のデータ線５０（Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００１７】
コントローラ１０は、走査線駆動回路６０、データ線駆動回路７０及び共通電位供給回路１００の動作を制御する。コントローラ１０は、例えば、クロック信号、スタートパルス等のタイミング信号を各回路に供給する。
【００１８】
走査線駆動回路６０は、コントローラ１０による制御下で、所定のフレーム期間中に、走査線Ｙ１、Ｙ２、…、Ｙｍの各々に走査信号をパルス的に順次供給する。
【００１９】
データ線駆動回路７０は、コントローラ１０による制御下で、データ線Ｘ１、Ｘ２、…、Ｘｎにデータ電位を供給する。データ電位は、基準電位ＧＮＤ（例えば０Ｖ）、高電位ＶＳＨ（例えば＋１５Ｖ）又は低電位−ＶＳＨ（例えば−１５Ｖ）のいずれかの電位をとる。
【００２０】
共通電位供給回路１００は、共通電位線９０に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２（図２参照）と基準電位ＧＮＤが供給された画素電極２１（図２参照）との間に電圧が実質的に生じない範囲内で、基準電位ＧＮＤとは異なる電位であってもよい。例えば、共通電位Ｖｃｏｍが、フィードスルーによる画素電極２１の電位の変動を考慮して、画素電極２１に供給される基準電位ＧＮＤとは異なる値とされていてもよく、この場合であっても、本明細書では、共通電位Ｖｃｏｍと基準電位ＧＮＤとが同一であるとみなす。
【００２１】
ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、画素電極２１に供給される基準電位ＧＮＤより僅かに低い値とされることがあるが、この場合も共通電位Ｖｃｏｍと基準電位ＧＮＤとが同電位であるとみなす。
【００２２】
なお、コントローラ１０、走査線駆動回路６０、データ線駆動回路７０及び共通電位供給回路１００には、各種の信号が入出力されるが、本実施形態と特に関係のないものについては説明を省略する。
【００２３】
図２は、本実施形態に係る画素２０の電気的な構成を示す等価回路図である。
【００２４】
図２において、画素２０は、画素スイッチング用トランジスタ２４と、画素電極２１と、対向電極２２と、電気泳動素子２３と、保持容量２７とを備えている。
【００２５】
画素スイッチング用トランジスタ２４は、例えばＮ型トランジスタで構成されている。画素スイッチング用トランジスタ２４は、そのゲートが走査線４０に電気的に接続されており、そのソースがデータ線５０に電気的に接続されており、そのドレインが画素電極２１及び保持容量２７に電気的に接続されている。画素スイッチング用トランジスタ２４は、データ線駆動回路７０（図１参照）からデータ線５０を介して供給されるデータ電位を、走査線駆動回路６０（図１参照）から走査線４０を介してパルス的に供給される走査信号に応じたタイミングで、画素電極２１及び保持容量２７に出力する。
【００２６】
画素電極２１には、データ線駆動回路７０からデータ線５０及び画素スイッチング用トランジスタ２４を介して、データ電位が供給される。画素電極２１は、電気泳動素子２３を介して対向電極２２と互いに対向するように配置されている。
【００２７】
対向電極２２は、共通電位Ｖｃｏｍが供給される共通電位線９０に電気的に接続されている。
【００２８】
電気泳動素子２３は、電気泳動粒子をそれぞれ含んでなる複数の、電気泳動表示材料を形成するマイクロカプセル８０（図３参照）から構成されている。
【００２９】
保持容量２７は、誘電体膜を介して対向配置された一対の電極からなり、一方の電極が、画素電極２１及び画素スイッチング用トランジスタ２４に電気的に接続され、他方の電極が共通電位線９０に電気的に接続されている。保持容量２７によってデータ電位を一定期間だけ維持することができる。
【００３０】
次に、本実施形態に係る電気泳動表示装置の表示部の具体的な構成について、図３を参照して説明する。
【００３１】
図３は、本実施形態に係る電気泳動表示装置１の表示部２の部分断面図である。
【００３２】
図３において、画素２０は、ＴＦＴ基板２８と対向基板２９との間にマイクロカプセル８０が挟持される構成となっている。なお、本実施形態では、対向基板２９側に画像を表示することを前提として説明する。
【００３３】
ＴＦＴ基板２８は、例えばガラスやプラスチック等からなる基板である。ＴＦＴ基板２８上には、ここでは図示を省略するが、図２を参照して前述した画素スイッチング用トランジスタ２４、保持容量２７、走査線４０、データ線５０、共通電位線９０等が作り込まれた積層構造が形成されている。この積層構造の上層側に複数の画素電極２１がマトリクス状に設けられている。
【００３４】
対向基板２９は、例えばガラスやプラスチック等からなる透明な基板である。対向基板２９におけるＴＦＴ基板２８との対向面上には、対向電極２２が複数の画素電極２１と対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００３５】
電気泳動素子２３は、電気泳動粒子をそれぞれ含んでなる複数のマイクロカプセル８０から構成されており、例えば樹脂等からなるバインダー３０及び接着層３１によってＴＦＴ基板２８及び対向基板２９間で固定されている。なお、本実施形態に係る表示部２は、製造プロセスにおいて、電気泳動素子２３が予め対向基板２９側にバインダー３０によって固定されてなる電気泳動シートを、別途製造された画素電極２１等が形成されたＴＦＴ基板２８側に接着層３１に接着して構成されている。
【００３６】
マイクロカプセル８０は、画素電極２１及び対向電極２２間に挟持され、１つの画素２０内に（言い換えれば、１つの画素電極２１に対して）１つ又は複数配置されている。
【００３７】
マイクロカプセル８０は、被膜８５の内部に分散媒８１と、複数の白色粒子８２と、複数の黒色粒子８３とが封入されてなる。マイクロカプセル８０は、例えば、５０μｍ程度の粒径を有する球状に形成されている。
【００３８】
被膜８５は、マイクロカプセル８０の外殻として機能し、ポリメタクリル酸メチル、ポリメタクリル酸エチル等のアクリル樹脂、ユリア樹脂、アラビアゴム、ゼラチン等の透光性を有する高分子樹脂から形成されている。
【００３９】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００４０】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００４１】
黒色粒子８３は、例えば、アニリンブラック、カーボンブラック等の黒色顔料からなる粒子（高分子或いはコロイド）であり、例えば正に帯電されている。
【００４２】
このため、白色粒子８２及び黒色粒子８３は、画素電極２１と対向電極２２との間の電位差によって発生する電場によって、分散媒８１中を移動することができる。
【００４３】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００４４】
図３において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部２の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部２の表示面にはこの黒色粒子８３の色（即ち、黒色）が表示されることとなる。
【００４５】
なお、白色粒子８２、黒色粒子８３に用いる顔料を、例えば赤色、緑色、青色等の顔料に代えることによって、赤色、緑色、青色等を表示することができる。
【００４６】
図４と図５は、従来の電気泳動表示装置の駆動方法における白及び黒状態の遷移に対する各々のパルス幅及び反射レスポンスを示したもので、これによって、ゴーストが生じる理由を説明する。本質的に、ゴーストは、パルス幅の限られた解像度による２つの遷移状態の間の明度の誤差である。図４と図５に示されるように、１フレームの幅が各パルス幅の最小単位であり、ディスプレイのフレームレート（ｆｔ）により制限される。
【００４７】
次に、本実施形態に係る電気泳動表示装置１における画像書き換え（書込み）時の動作、即ち電気泳動表示装置１の駆動方法について、図６から図１２を参照して説明する。以下では、説明の便宜上、書き換え対象となる１つの画素に着目して書き換え時の動作を説明する。なお、以下に示す各処理は、典型的にはコントローラ１０が制御する、電圧印加器によって行われるものであるが、コントローラ１０以外によって制御されても構わない。また、電圧印加器は、上述した各構成要素やその他の手段によって各種態様で適宜実現される。
【００４８】
図６は、本発明に係る電気泳動表示装置１の駆動方法の基本構成（駆動電圧波形）を示す図である。
【００４９】
画像書込み期間は、２つの期間から構成され、前半部をフラッシングパルスの期間、後半部をアドレッシングパルスの期間と呼ぶ。この２つの異なったパルス期間を設けることにより、書込み前後の最終光学反射率（Ｌ＊）のバランスを踏まえた、即ちゴーストが低減する設定が可能となる。
【００５０】
フラッシングパルスは、第１の電位を印可する期間（パルス幅）（以下、Ｔ１と称す）と第２の電位を印可する期間（以下、Ｔ２と称す）の２つの期間で構成され、Ｔ１は前画像の反転電位を印可する期間であり、Ｔ２は前画像と同電位を印可する期間である。また、フレームレート（ｆｔ）に応じて期間Ｔ１とＴ２の比（即ち、デューティ比）を変更することが好ましい。
【００５１】
フラッシングパルスの期間は、前画像をリセットすると共に、白粒子及び黒粒子を分離しながら表示状態が黒に達しない、または白に達しない任意の中間状態にする補助的な役割を持つ。このフラッシングパルスにおいて、２つの期間（Ｔ１及びＴ２）のパルス幅（即ち、前画像の反転電位を与える期間と前画像と同電位を与える期間）が同じで、書き換え前後の表示色が異なる場合、「白が白くならない」又は「黒が黒くならない」という状態に対して、書換え前後の表示色が同じ場合、「白がより白く」又は「黒がより黒く」なってしまうという問題が生じる。また、Ｔ１のパルス幅よりもＴ２のパルス幅（即ち、前画像と同電位を与える期間）が長く、書き換え前後の表示色が同じ場合、「白がより白く」又は「黒がより黒く」なるという状態に対して、書換え前後の表示色が異なる場合、「白が白くならない」又は「黒が黒くならない」という問題が生じてしまう。これら２つの遷移状態間の明度の誤差が生じることで前画像のかすかな痕跡が残りゴーストが現れてしまう。一方、Ｔ２のパルス幅よりもＴ１のパルス幅（即ち、前画像の反転電位を与える期間）が長く書き換え前後の表示色が同じもしくは異なった場合には２つの遷移状態間の明度の差が最小（視認されないレベル）となり、ゴーストが低減される。
【００５２】
また、フラッシングパルス期間のＴ１とＴ２の比は、Ｔ２が１に対してＴ１は１より大きく、その範囲Ｔ１：Ｔ２は２：１〜１０：１が好ましく、特に２：１〜５：１がより好ましい。また、フラッシングパルス期間中に、Ｔ１及びＴ２を複数回繰り返してもよい。
【００５３】
アドレッシングパルスは、所定の書き込みパルスの時間幅を有する電圧パルスである。この電圧パルスは、最終書込み画像の電位であり、その印加手法は単一な電位もしくは正極性と負極性との電圧パルスからなる双極電位であっても良い。
【実施例】
【００５４】
（実施例１）
本発明の実施例１では、フレームレート（ｆｔ）を４０ｍｓ、画像書込み総時間を４８０ｍｓ、フラッシングパルス期間の比Ｔ１：Ｔ２を２：１とした場合の動作例について説明をする。尚、本実施形態で示した表示装置のブロック図、等価回路及び断面図の構成によって実現されるので、構成の説明は省略する。
【００５５】
図７は、本発明の実施例１に係る駆動電圧波形を説明するタイミングチャートである。
【００５６】
また、上から順に、
（１）白表示から白表示へ
（２）黒表示から白表示へ
（３）黒表示から黒表示へ
（４）白表示から黒表示へ
と、表示状態を４つのパターンに変化（遷移）させる時に印加する駆動電圧波形である。
【００５７】
まず、白表示から白表示へと変化させる場合、フラッシングパルス期間Ｔ１の電位をＶＳＨ、Ｔ１を８０ｍｓとし、Ｔ２の電位を−ＶＳＨ、Ｔ２を４０ｍｓとする。このフラッシングパルスを３回印加した後、アドレッシングパルス期間を最終書込み画像の電位（白表示）−ＶＳＨを１２０ｍｓ印加する。
【００５８】
次に、黒表示から白表示へと変化させる場合、フラッシングパルス期間Ｔ１の電位を−ＶＳＨ、Ｔ１を８０ｍｓとし、Ｔ２の電位をＶＳＨ、Ｔ２を４０ｍｓとする。このフラッシングパルスを１回印加した後、アドレッシングパルス期間を最終書込み画像の電位（白表示）−ＶＳＨを３６０ｍｓ印加する。
【００５９】
図８は、「白表示から白表示へ」及び「黒表示から白表示へ」書き換える際の光学反射率（Ｌ＊）の変化を示すグラフである。
【００６０】
図８において、「白表示から白表示へ」を太線で、「黒表示から白表示へ」を細線で示す。共に画像を書換える際、フラッシングパルス期間の印加回数を調整することで、即ち表示状態が黒に達しない、または白に達しない中間域を任意に作り、フラッシングパルスの次に印加されるアドレッシングパルスを調整することで、両者の最終光学反射率（Ｌ＊）の両立を図ることができ、白ゴースト改善を実現可能にしている。
【００６１】
次に、黒表示から黒表示へと変化させる場合、フラッシングパルス期間Ｔ１の電位を−ＶＳＨ、Ｔ１を８０ｍｓとし、Ｔ２の電位をＶＳＨ、Ｔ２を４０ｍｓとする。このフラッシングパルスを２回印加した後、アドレッシングパルス期間を最終書込み画像の逆電位（白表示）−ＶＳＨを１６０ｍｓ印加した後、最終書込み画像の電位（黒表示）ＶＳＨを８０ｍｓ印加する。
【００６２】
次に、白表示から黒表示へと変化させる場合、フラッシングパルス期間Ｔ１の電位をＶＳＨ、Ｔ１を８０ｍｓとし、Ｔ２の電位を−ＶＳＨ、Ｔ２を４０ｍｓとする。このフラッシングパルスを１回印加した後、アドレッシングパルス期間を最終書込み画像の電位（黒表示）ＶＳＨを３６０ｍｓ印加する。
【００６３】
図９は、「黒表示から黒表示へ」及び「白表示から黒表示へ」書き換える際の光学反射率（Ｌ＊）の変化を示すグラフである。
【００６４】
図９において、「黒表示から黒表示へ」を太線で、「白表示から黒表示へ」を細線で示す。共に画像を書換える際、フラッシングパルス期間の印加回数を調整することで、即ち表示状態が黒に達しない、または白に達しない中間域を任意に作り、フラッシングパルスの次に印加されるアドレッシングパルスを単一な電位ではなく、正極性と負極性との電圧パルスからなる双極電位にし、その両極性の印加時間を調整することで、両者の最終光学反射率（Ｌ＊）の両立を図り、黒ゴースト改善を実現可能にしている。
【００６５】
（実施例２）
本発明の実施例２では、フレームレート（ｆｔ）１０ｍｓ、画像書込み総時間を６００ｍｓ、フラッシングパルス期間の比Ｔ１：Ｔ２を４：１とした場合の動作例について説明をする。尚、実施例１同様、本実施形態で示した表示装置のブロック図、等価回路及び断面図の構成によって実現されるので、構成の説明は省略する。
【００６６】
図１０は、本発明の実施例２に係る駆動電圧波形を説明するタイミングチャートである。
【００６７】
また、上から順に、
（１）白表示から白表示へ
（２）黒表示から白表示へ
（３）黒表示から黒表示へ
（４）白表示から黒表示へ
と、表示状態を４つのパターンに変化（遷移）させる時に印加する駆動電圧波形である。
【００６８】
まず、白表示から白表示へと変化させる場合、フラッシングパルス期間Ｔ１の電位をＶＳＨ、Ｔ１を４０ｍｓとし、Ｔ２の電位を−ＶＳＨ、Ｔ２を１０ｍｓとする。このフラッシングパルスを７回印加した後、アドレッシングパルス期間を最終書込み画像の電位（白表示）−ＶＳＨを２５０ｍｓ印加する。
【００６９】
次に、黒表示から白表示へと変化させる場合、フラッシングパルス期間Ｔ１の電位を−ＶＳＨ、Ｔ１を４０ｍｓとし、Ｔ２の電位をＶＳＨ、Ｔ２を１０ｍｓとする。このフラッシングパルスを７回印加した後、アドレッシングパルス期間を最終書込み画像の電位（白表示）―ＶＳＨを２５０ｍｓ印加する。
【００７０】
図１１は、「白表示から白表示へ」及び「黒表示から白表示へ」書き換える際の光学反射率（Ｌ＊）の変化を示すグラフである。
【００７１】
図１１において、「白表示から白表示へ」を太線で、「黒表示から白表示へ」を細線で示す。共に画像を書換える際、フラッシングパルス期間の印加回数を調整することで、即ち表示状態が黒に達しない、または白に達しない中間域を任意に作り、フラッシングパルスの次に印加されるアドレッシングパルスを調整することで、両者の最終光学反射率（Ｌ＊）の両立を図ることができ、白ゴースト改善を実現可能にしている。
【００７２】
次に、黒表示から黒表示へと変化させる場合、フラッシングパルス期間Ｔ１の電位を−ＶＳＨ、Ｔ１を４０ｍｓとし、Ｔ２の電位をＶＳＨ、Ｔ２を１０ｍｓとする。このフラッシングパルスを７回印加した後、アドレッシングパルス期間を最終書込み画像の電位（黒表示）ＶＳＨを２５０ｍｓ印加する。
【００７３】
次に、白表示から黒表示へと変化させる場合、フラッシングパルス期間Ｔ１の電位をＶＳＨ、Ｔ１を４０ｍｓとし、Ｔ２の電位を−ＶＳＨ、Ｔ２を１０ｍｓとする。このフラッシングパルスを７回印加した後、アドレッシングパルス期間を最終書込み画像の電位（黒表示）ＶＳＨを２５０ｍｓ印加する。
【００７４】
図１２は、「黒表示から黒表示へ」及び「白表示から黒表示へ」書き換える際の光学反射率（Ｌ＊）の変化を示すグラフである。
【００７５】
図１２において、「黒表示から黒表示へ」を太線で、「白表示から黒表示へ」を細線で示す。共に画像を書換える際、フラッシングパルス期間の印加回数を調整することで、即ち表示状態が黒に達しない、または白に達しない中間域を任意に作り、フラッシングパルスの次に印加されるアドレッシングパルスを調整することで、両者の最終光学反射率（Ｌ＊）の両立を図ることができ、黒ゴースト改善を実現可能にしている。
【００７６】
以上説明したように、本実施形態に係る電気泳動表示装置の駆動方法によれば、フラッシングパルスのデューティ比及び電圧印加時間を調整することにより、白色及び黒色の両帯電粒子の分布位置（中間調）を任意に決め、フラッシングパルスの次に印加されるアドレッシングパルスの電圧を単一または双極電位にし、また電圧印加時間を調整すること量子化誤差を調整することが可能である。したがって、本発明によれば、アドレッシングパルスの印加に先立ってフラッシングパルスを印加することにより、高速書込みとゴースト低減を達成できることになる。
【００７７】
例えば、本発明をセグメント方式の電気泳動表示パネルに適用することも可能である。セグメント方式の電気泳動表示パネルにおける動作は、図１〜図１２を用いて説明した動作で、画素電極をセグメント電極に置き換えた動作と同様であり、アクティブマトリクス方式の電気泳動表示パネルを用いた場合と同様の効果を奏する。
【００７８】
本発明の実施形態においての電気泳動粒子として、正に帯電した黒粒子および負に帯電した白粒子を用いた場合について説明したが、負に帯電した黒粒子および正に帯電した白粒子を用いてもよい。
【００７９】
また、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【産業上の利用可能性】
【００８０】
電気泳動表示装置に限らず、メモリー性の表示手段に本発明に係る駆動方法が適用されてもよい。例えば、ＥＣＤ（Ｅｌｅｃｔｒｏｃｈｒｏｍｉｃ  Ｄｉｓｐｌａｙ＝エレクトロクロミックディスプレイ）等である。
【符号の説明】
【００８１】
１    電気泳動表示装置
２    表示部
１０    コントローラ（電気泳動表示装置１の駆動装置）
２０    画素
２１    画素電極
２２    対向電極
２３    電気泳動素子
２４    画素スイッチング用トランジスタ
２７    保持容量
２８    ＴＦＴ基板
２９    対向基板
３０    バインダー
３１    接着層
４０    走査線
５０    データ線
６０    走査線駆動回路
７０    データ線駆動回路
８０    マイクロカプセル（電気泳動表示材料）
８１    分散媒
８２    白色粒子
８３    黒色粒子
８５    被膜
９０    共通電位線
１００    共通電位供給回路
【図１】
2015176133.tif 000003
【図２】
2015176133.tif 000004
【図３】
2015176133.tif 000005
【図４】
2015176133.tif 000006
【図５】
2015176133.tif 000007
【図６】
2015176133.tif 000008
【図７】
2015176133.tif 000009
【図８】
2015176133.tif 000010
【図９】
2015176133.tif 000011
【図１０】
2015176133.tif 000012
【図１１】
2015176133.tif 000013
【図１２】
2015176133.tif 000014